【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
動画の画像データを処理するデータ処理装置において、
前記画像データを取得する取得手段と、
前記画像データの変化の程度を表す変化量を、ピクチャ単位で求める変化量算出手段と、
前記ピクチャ単位の変化量が格納されたファイルを、前記画像データのメタデータが格納されたメタファイルとして作成するファイル作成手段と
を備えるデータ処理装置。
【請求項２】
前記取得手段は、被写体を撮像することにより、画像データを取得する
請求項１に記載のデータ処理装置。
【請求項３】
前記取得手段が被写体を撮像することにより取得した画像データを符号化する符号化手段と、
符号化された画像データが格納されたファイルと、前記変化量が格納されたファイルとを、記録媒体に記録する記録手段と
をさらに備える請求項２に記載のデータ処理装置。
【請求項４】
前記取得手段は、画像データが記録されている記録媒体から画像データを読み出すことにより、画像データを取得する
請求項１に記載のデータ処理装置。
【請求項５】
前記記録媒体に記録されている画像データは符号化されており、
前記取得手段が前記記録媒体から読み出すことにより取得した、符号化された画像データを復号する復号手段と、
前記変化量が格納されたファイルを、前記記録媒体に記録する記録手段と
をさらに備え、
前記変化量算出手段は、前記復号手段が復号した画像データの変化の程度を表す変化量を、ピクチャ単位で求める
請求項４に記載のデータ処理装置。
【請求項６】
前記変化量算出手段は、ピクチャの空間的な変化の程度を表す細かさ情報を、前記変化量として求める
請求項１に記載のデータ処理装置。
【請求項７】
前記変化量算出手段は、ピクチャの時間的な変化の程度を表す動き情報を、前記変化量として求める
請求項１に記載のデータ処理装置。
【請求項８】
ピクチャの前記変化量に基づき、そのピクチャを表示するときの表示方法を表す表示タイプを、ピクチャ単位で決定する表示タイプ決定手段をさらに備え、
前記ファイル作成手段は、前記ピクチャ単位の変化量および表示タイプが格納されたファイルを、前記画像データのメタデータが格納されたメタファイルとして作成する
請求項１に記載のデータ処理装置。
【請求項９】
前記表示タイプは、ピクチャを表示するときの解像度、またはピクチャを表示するときの表示レートが異なる表示方法を表し、
前記変化量算出手段は、ピクチャの空間的な変化の程度を表す細かさ情報を、前記変化量として求め、
前記表示タイプ決定手段は、ピクチャの前記細かさ情報が、空間的な変化の程度が大であることを表す場合、そのピクチャの表示タイプを、高い解像度、または低い表示レートの高解像度／低表示レートタイプに決定する
請求項８に記載のデータ処理装置。
【請求項１０】
前記表示タイプは、ピクチャを表示するときの解像度、またはピクチャを表示するときの表示レートが異なる表示方法を表し、
前記変化量算出手段は、ピクチャの時間的な変化の程度を表す動き情報を、前記変化量として求め、
前記表示タイプ決定手段は、ピクチャの前記動き情報が、時間的な変化の程度が大であることを表す場合、そのピクチャの表示タイプを、低い解像度、または高い表示レートの低解像度／高表示レートタイプに決定する
請求項８に記載のデータ処理装置。
【請求項１１】
前記表示タイプには、静止画での表示を表す静止画タイプもあり、
前記表示タイプ決定手段は、前記変化量が小さいピクチャの表示タイプを、静止画での表示を表す静止画タイプに決定する
請求項８に記載のデータ処理装置。
【請求項１２】
前記変化量が格納されたファイルを、記録媒体に記録する記録手段
をさらに備える請求項１に記載のデータ処理装置。
【請求項１３】
ピクチャの前記変化量に基づき、そのピクチャを表示するときの表示方法を表す表示タイプを、ピクチャ単位で決定する表示タイプ決定手段と、
表示するピクチャを指定するときに操作されるピクチャ指定操作手段によって指定されているピクチャの前記表示タイプを取得する表示タイプ取得手段と、
ピクチャを、そのピクチャの表示タイプが表す表示方法で表示させる表示制御手段と
をさらに備え、
前記表示タイプのピクチャを表示するときのサイズがあらかじめ設定されており、
前記表示制御手段は、ピクチャを、そのピクチャの表示タイプについてあらかじめ設定されているサイズで表示させる
請求項１に記載のデータ処理装置。
【請求項１４】
動画の画像データを処理するデータ処理方法において、
前記画像データの変化の程度を表す変化量を、ピクチャ単位で求め、
前記ピクチャ単位の変化量が格納されたファイルを、前記画像データのメタデータが格納されたメタファイルとして作成する
ステップを含むデータ処理方法。
【請求項１５】
動画の画像データの処理を、コンピュータに実行させるプログラムにおいて、
前記画像データの変化の程度を表す変化量を、ピクチャ単位で求め、
前記ピクチャ単位の変化量が格納されたファイルを、前記画像データのメタデータが格納されたメタファイルとして作成する
ステップを含む処理を、コンピュータに実行させるプログラム。
【請求項１６】
動画の画像データを処理するデータ処理装置において、
前記画像データを取得する取得手段と、
前記画像データの変化の程度を表す変化量を、ピクチャ単位で求める変化量算出手段と、
ピクチャの前記変化量に基づき、そのピクチャを表示するときの表示方法を表す表示タイプを、ピクチャ単位で決定する表示タイプ決定手段と、
前記ピクチャ単位の表示タイプが格納されたファイルを、前記画像データのメタデータが格納されたメタファイルとして作成するファイル作成手段と
を備えるデータ処理装置。
【請求項１７】
動画の画像データを処理するデータ処理方法において、
前記画像データの変化の程度を表す変化量を、ピクチャ単位で求め、
ピクチャの前記変化量に基づき、そのピクチャを表示するときの表示方法を表す表示タイプを、ピクチャ単位で決定し、
前記ピクチャ単位の表示タイプが格納されたファイルを、前記画像データのメタデータが格納されたメタファイルとして作成する
ステップを含むデータ処理方法。
【請求項１８】
動画の画像データの処理を、コンピュータに実行させるプログラムにおいて、
前記画像データの変化の程度を表す変化量を、ピクチャ単位で求め、
ピクチャの前記変化量に基づき、そのピクチャを表示するときの表示方法を表す表示タイプを、ピクチャ単位で決定し、
前記ピクチャ単位の表示タイプが格納されたファイルを、前記画像データのメタデータが格納されたメタファイルとして作成する
ステップを含む処理を、コンピュータに実行させるプログラム。
【請求項１９】
動画の画像データを処理するデータ処理装置において、
前記画像データを取得する取得手段と、
前記画像データの変化の程度を表す変化量を、複数のピクチャ単位で求める変化量算出手段と、
前記変化量が格納されたファイルを、前記画像データのメタデータが格納されたメタファイルとして作成するファイル作成手段と
を備えるデータ処理装置。
【請求項２０】
動画の画像データを処理するデータ処理装置において、
前記画像データを取得する取得手段と、
前記画像データの変化の程度を表す変化量を、１以上のピクチャ単位で求める変化量算出手段と、
前記変化量に基づき、ピクチャを表示するときの表示方法を表す表示タイプを、複数のピクチャ単位で決定する表示タイプ決定手段と、
前記表示タイプが格納されたファイルを、前記画像データのメタデータが格納されたメタファイルとして作成するファイル作成手段と
を備えるデータ処理装置。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】